(57)【要約】  【課題】  防蟻剤が配合された防蟻ボードを用いて、経時的に防蟻ボードが浮き上がったり剥がれたりすることなく、基礎構造の防蟻機能が長期間にわたって良好に発揮できるようにする。  【解決手段】  地盤Ｅに立設され、建築物の上部構造５２、５４を支持する基礎構造であって、コンクリートを打設して構築された基礎本体４０と、基礎本体４０の側面に配置され、防蟻剤を含有する発泡樹脂成形品からなる防蟻ボード１０と、防蟻ボード１０のうち基礎本体４０の側面と対面する表面に配置され、基礎本体４０の側面に埋め込まれて係止される係止凹凸１２とを備える。【選択図】  図２
2005133506.tif 000002
【特許請求の範囲】
【請求項１】
地盤に立設され、建築物の上部構造を支持する基礎構造であって、
コンクリートを打設して構築された基礎本体と、
前記基礎本体の側面に配置され、防蟻剤を含有する発泡樹脂成形品からなる防蟻ボードと、
前記防蟻ボードのうち前記基礎本体の側面と対面する表面に配置され、基礎本体の側面に埋め込まれて係止される係止凹凸と
を備える基礎構造。
【請求項２】
請求項１に記載の基礎構造に用いられる防蟻ボードであって、
防蟻剤を含有する発泡樹脂成形品からなり、
前記基礎本体の側面に埋め込まれて係止される係止凹凸を備える
防蟻ボード。
【請求項３】
前記係止凹凸が、前記防蟻ボードの表面から突出する凸状をなし、その先端側に、防蟻ボードの表面に近い根元側よりも張り出した張出部を有する
請求項２に記載の防蟻ボード。
【請求項４】
請求項２または３に記載の防蟻ボードを用いて、請求項１に記載の基礎構造を施工する方法であって、
前記基礎本体を構築するコンクリート打設用の型枠を設置する工程（ａ）と、
前記型枠の内側面に、前記係止凹凸を内側に向けて前記防蟻ボードを取り付ける工程（ｂ）と、
前記防蟻ボードよりも内側で前記型枠の内部に前記コンクリートを打設し硬化させる工程（ｃ）と、
前記型枠を撤去して、前記コンクリートで構築された基礎本体の表面に前記防蟻ボードが一体接合され、前記係止凹凸が基礎本体に係止された基礎構造を得る工程（ｄ）と
を含む基礎構造の施工方法。
【発明の詳細な説明】
【技術分野】
【０００１】
本発明は、建築物の基礎構造、基礎構造用防蟻ボードおよび基礎構造の施工方法に関し、詳しくは、一般住宅などの建築物を施工する際に、地盤から立設されて建築物の上部構造を支持する基礎構造と、このような基礎構造を構成する一つの部材である防蟻ボードと、前記のような基礎構造を施工する方法とを対象にしている。
【背景技術】
【０００２】
住宅などの建築物の床下空間において、布基礎などの基礎構造の内側面に、発泡スチレンボードなどの断熱材を貼り付けて、床下空間を断熱構造にする技術が知られている。床下空間を断熱構造にすることで、室内空間の熱エネルギーが、床下空間から屋外に逃げることを防止できる。寒冷地に建築される住宅などに有効である。
このように、床下空間を断熱構造にすると、寒冷期でも温かい床下空間に、白蟻が侵入し易くなる。従来は特別な白蟻対策は必要とされなかった寒冷地においても、白蟻の被害が発生することがある。
特許文献１には、床下空間の断熱施工方法において、断熱ボードに対する白蟻の食害を防止するために、断熱ボードを構成する発泡ポリスチレンなどの製造時に、防蟻剤を配合しておく技術が提案されている。
【特許文献１】特開２００２−８８１８５号公報
【発明の開示】
【発明が解決しようとする課題】
【０００３】
前記した特許文献１に開示された防蟻発泡ボードを使用する場合、基礎構造の表面から防蟻ボードが浮き上がったり剥がれ落ちたりし易いという問題がある。
コンクリートで構築された基礎構造の表面に、発泡樹脂成形品からなる防蟻発泡ボードを接着剤で貼り付けた場合、施工後の経時によって接着剤が劣化し、防蟻発泡ボードが剥がれ易くなることがある。地震などの強い振動や衝撃が加わると、基礎構造の表面から防蟻発泡ボードが浮き上がったり剥がれたりすることになる。防蟻発泡ボードと基礎構造との間に接着剤の層があると、白蟻が接着剤を食い破って侵入することもある。白蟻が接着剤層を食い破りながら、防蟻発泡ボードと基礎構造との隙間を通って、基礎構造の上方まで侵入することが起こる。
【０００４】
この問題を解消するために、基礎構造をコンクリートで打設して構築する際に使用するコンクリート打設用の型枠に、防蟻発泡ボードを取り付けておき、コンクリートの打設による基礎構造の構築と同時に、基礎構造の表面に防蟻発泡ボードを貼り付ける技術が考えられた。しかし、この場合も、防蟻発泡ボードの表面と、コンクリートで打設された基礎構造の表面とが対面して接合されているだけなので、施工後に強い振動や衝撃が繰り返し加わったり経時的な変形などがあったりすると、防蟻発泡ボードの一部が浮き上がったり剥がれたりすることがある。
本発明の課題は、前記したような防蟻剤が配合された防蟻ボードを用いても、経時的に防蟻ボードが浮き上がったり剥がれたりすることなく、基礎構造の防蟻機能が長期間にわたって良好に発揮できるようにすることである。
【課題を解決するための手段】
【０００５】
本発明にかかる建築物の基礎構造は、地盤に立設され、建築物の上部構造を支持する基礎構造であって、コンクリートを打設して構築された基礎本体と、前記基礎本体の側面に配置され、防蟻剤を含有する発泡樹脂成形品からなる防蟻ボードと、前記防蟻ボードのうち前記基礎本体の側面と対面する表面に配置され、基礎本体の側面に埋め込まれて係止される係止凹凸とを備える。
〔建築物と基礎構造〕
基本的には、住宅、集合住宅、その他の各種建築物に適用できる。
基礎構造は、地盤に立設され、建築物の上部構造を支持する。布基礎、ベタ基礎などと呼ばれる構造が知られている。床下空間の基礎構造として、土間コンクリート構造があり、この土間コンクリート構造にも適用できる。基礎構造には、一般的な垂直壁状のもののほか、柱状のものや中空管状のものもある。
【０００６】
基礎構造は、基本的には、コンクリートを打設して構築される。内部に鉄筋や鉄骨が配置される場合もある。基礎構造の表面の一部が、鋼材で構成されていたり、木質材料や樹脂材料、石材で構成されていたりする場合もある。基礎構造には、必要に応じて、各種の配管構造が設けられたり、上部構造を固定するためのアンカーボルトが埋め込まれたり、床下空間の通気孔が設けられたりする。
このような基礎構造のうち、コンクリートを打設して構築される本体部分を基礎本体と呼ぶ。基礎本体は、建築物の屋内側と屋外側とを仕切る外壁の部分に配置されるとともに、建築物の内側で各区画を仕切る部分にも配置される。基礎本体には、床下空間に面する側あるいは屋外に面する側に、垂直方向に延びる側面を有する。側面は、垂直平面である場合のほか、一部あるいは全体が傾斜していたり、段差を有していたり、曲面を有していたりする場合もある。側面の下端は、地盤に埋めこまれていたり、床下空間の底面に打設されたコンクリート面につながっていたりする。
【０００７】
〔防蟻ボード〕
基礎本体の側面に配置される。防蟻剤を含有する発泡樹脂成形品からなる。
基本的には、通常の建築施工において、床下空間の断熱施工などに利用されている発泡樹脂ボードと同様の材料で構成され、同様の製造技術で製造できる。樹脂材料として、スチレン系樹脂、ウレタン系樹脂、フェノール系樹脂、アクリル系樹脂などが使用される。成形方法として、押出成形や注型成形などが採用される。発泡樹脂成形品の発泡倍率を、１５〜５０倍に設定できる。発泡倍率が大きいほうが、断熱性が向上する。発泡倍率が大き過ぎると、強度が弱くなり易く、防蟻剤の含有も難しくなる。
【０００８】
発泡樹脂成形品は防蟻剤を含有する。防蟻剤としては、建築技術分野で採用されている各種の防蟻剤が使用される。例えば、カーバメート系、ピレスロイド系などの防蟻剤が挙げられる。防蟻剤の配合量は、要求性能や用途によっても異なるが、通常は、０．０１〜１０．０重量％の範囲で配合することができる。
防蟻ボードの形状は、一般的には矩形板状をなすものが、製造および取扱いが行い易い。基礎本体の平面状をなす側面には、矩形板状の防蟻ボードを縦横に並べて施工すれば、施工し易い。施工面の形態によっては、矩形以外の多角板状をなすものや、外周の一部または全体が曲線形状をなすものもある。平坦な板状でなく、屈曲板状や湾曲板状のものもある。
【０００９】
防蟻ボードの寸法として、例えば、矩形板状のものの場合、長辺４５〜３００ｃｍ、短辺１５〜９０ｃｍ、係止凹凸を除く全体の厚めを２〜１０ｃｍに設定できる。矩形以外の形状の場合も、これに準じて外形寸法範囲が設定できる。
〔係止凹凸〕
防蟻ボードのうち基礎本体の側面と対面する表面に配置される。基礎本体の側面に埋め込まれて係止される。
基礎本体に埋め込み係止可能であれば、通常の建築材料などにおける部材同士の係止構造が採用できる。例えば、防蟻ボードに設けた係止凸部を基礎本体の係止凹部に係止することができる。逆に、防蟻ボードの係止凹部に基礎本体の係止凸部に係止させてもよい。防蟻ボードに係止凹部および係止凸部を設け、基礎本体の対応する係止凸部および係止凹部に係止させることもできる。
【００１０】
係止凸部は、独立した突起状のもののほか、防蟻ボードの表面に沿って延びる凸畝状であってもよい。凸畝は、直線状であってもよいし、曲線状であってもよい。同様にして、係止凹部が、凹溝状であってもよい。
係止凸部の構造として、防蟻ボードの表面から突出する凸状をなし、その先端側に、防蟻ボードの表面に近い根元側よりも張り出した張出部を有する構造が採用できる。勿論、基礎本体のほうに、上記張出部を有する係止凸部を設けることもできる。この場合、防蟻ボードには、表面側よりも奥側が広くなった係止凹部を備えることになる。いわゆる、蟻溝に相当する構造である。
【００１１】
係止凹凸は、防蟻ボードの表面に、独立した係止凹凸を一定間隔毎に配置することができる。凸畝や凹溝を、間隔をあけて平行に並べて配置することもできる。
係止凹凸は、防蟻ボードに成形と同時に一体成形することができる。防蟻ボードとは別部品として係止凹凸を製造し、製造された係止凹凸部品を防蟻ボードの表面に接合することもできる。例えば、係止凹凸部品を防蟻ボードに熱融着などで接合したり、防蟻ボードの穴に係止凹凸部品を嵌め込んだりすることもできる。防蟻ボードと一体成形された係止凹凸は防蟻ボードと同じ材質になる。係止凹凸部品を使用する場合は、防蟻ボードと別の材料で製造しておくこともできる。
【００１２】
〔基礎構造の施工〕
基本的には、通常の建築物における基礎構造の施工技術が適用される。
コンクリートを打設して基礎本体を構築する際には、コンクリートの打設用型枠を設置する。型枠の材料や設置作業は、通常の基礎構造と同様である。型枠は、鋼板などの金属製のものや、木質材料、樹脂材料からなるものがある。
構築する基礎本体の両側面のうち、片側または両側に配置される型枠の内側面に防蟻ボードが取り付けられる。防蟻ボードの係止凹凸を内側に向けて、係止凹凸が配置されていない側の表面を型枠の内面に配置する。
【００１３】
防蟻ボードは、型枠に対して、着脱可能に取り付けられる。具体的には、型枠に取り付けた状態でコンクリートの打設を行っても移動したり脱落したりしない程度に固定される。構築された基礎本体から型枠を取り外す際には、防蟻ボードを基礎本体側に残した状態で、型枠だけを取り外すことができる。具体的な取付手段としては、ボルトナットによる締結や、針金やワイヤによる締結、スナップ金具による締結、粘着材による粘着止定などが挙げられる。
防蟻ボードが取り付けられた型枠の内部空間にコンクリートを打設し硬化させる工程は、通常の基礎構造の構築と同様に行える。防蟻ボードが取り付けられた型枠の側では、防蟻ボードの内側にコンクリートが流し込まれる。流動状態のコンクリートは、防蟻ボードの表面に存在する係止凹凸の周囲あるいは内部を埋めた状態で硬化させる。
【００１４】
コンクリートが硬化した後、型枠を撤去する作業は、通常の基礎構造の構築作業と同様である。但し、型枠の内面に配置された防蟻ボードは、構築された基礎本体に一体接合された状態にしておき、型枠を防蟻ボードから分離して、型外しする。具体的には、防蟻ボードを型枠に固定していた金具やワイヤなどを取り外したり固定ネジを緩めたりする。
型枠が撤去されたあとには、コンクリートで構築された基礎本体と、基礎本体の表面に貼り付けられた防蟻ボードとが残る。防蟻ボードの係止凹凸は、基礎本体に係止された状態になる。
その後、通常の基礎構造の施工と同様に、基礎本体の表面を加工したり、基礎本体の表面にモルタルや塗装で仕上げを行ったり、基礎本体に別の建築部材を取り付けたりすることができる。防蟻ボードの表面に、塗装仕上げを行ったり、防蟻剤を塗工したり、保護シートを貼着したりすることもできる。
【発明の効果】
【００１５】
本発明にかかる建築物の基礎構造は、防蟻剤を含有する発泡樹脂成形品からなる防蟻ボードの表面に配置された係止凹凸が、コンクリートを打設して構築された基礎本体の側面に埋め込まれて係止されるので、基礎本体に対して防蟻ボードが強固に結合一体化される。振動や衝撃が加わっても、係止凹凸によって基礎本体に接合一体化された防蟻ボードは、基礎本体から浮き上がったり剥がれ落ちたりすることはない。防蟻ボードと基礎本体との隙間を通って白蟻が侵入することを確実に阻止することができる。
その結果、防蟻ボードによる防蟻機能を、施工後の長期間にわたって良好に発揮することができる。
【００１６】
しかも、コンクリートを打設して基礎本体を構築する際に、型枠に防蟻ボードを取り付けておけば、基礎本体の構築と同時に防蟻ボードとの強力な一体接合も果たせるので、施工は簡単であり、迅速かつ経済的に、防蟻性能に優れた基礎構造を構築することができる。
【発明を実施するための最良の形態】
【００１７】
〔防蟻ボード〕
図１に示す防蟻ボード１０は、全体が防蟻剤を含有するポリスチレン発泡成形品からなり、概略矩形板状をなしている。
防蟻ボード１０の片面には、間隔をあけて複数本の係止凸部１２が突出した状態に成形されている。係止凸部１２は、全体が円柱状をなし、上端部分は、根元部分よりも外径が大きく側方に張り出した円盤状の張出部１４となっている。
＜具体例＞
防蟻ボード１０の材質として、発泡倍率３０倍の発泡ポリスチレンからなり、防蟻剤として、クロルニコチル系防蟻剤を０．０５重量％含有するものが挙げられる。
【００１８】
防蟻ボード１０の具体的寸法例として、４５ｃｍ×９０ｃｍで厚み４ｃｍの矩形板状をなすものが挙げられる。係止凸部１２の寸法例として、高さ２０ｍｍで、根元側の外径が２０ｍｍ、張出部１４が外径３０ｍｍ、厚み１０ｍｍのものが、ピッチ間隔１０〜２０ｃｍで、縦３個×横３個の合計９個が配置されているものが挙げられる。
防蟻ボード１０の製造方法として、防蟻剤を含有する発泡性ポリスチレンビーズを成形型に充填して加熱発泡成形する方法が適用される。このとき、成形型の内面には係止凸部１２の形状に対応する型形状を設けておく。成形後に成形型から防蟻ボード１０を取り出す際には、係止凸部１２のところで、成形型を分割して型開きすればよい。
【００１９】
〔基礎構造〕
図２に示す基礎構造は、一般住宅の床下構造を構成する布基礎である。
布基礎の基礎本体４０は、コンクリートを打設して構築され、断面が逆Ｔ字形をなし、建築物の外壁に沿って枠壁状に配置されている。建築物の内部でも所定区画を区切る仕切り壁状に配置されている。基礎本体４０の下端部分は地盤Ｅに埋めこまれている。基礎本体４０の上部には、床構造５２や外壁構造５４を含む建築物の上部構造が構築される。基礎本体４０が建築物の上部構造を支持している。床構造５２と地盤Ｅとの間は、基礎本体４０で囲まれた床下空間になる。
【００２０】
このような基本構造を有する布基礎において、床下空間に面する基礎本体４０の内側面に、防蟻ボード１０が貼り付けられている。防蟻ボード１０の表面に設けられた係止凸部１２は、基礎本体４０の内側面に埋め込まれた状態である。係止凸部１２の先端には、張出部１４が存在し、基礎本体４０に対して係止されているので、係止凸部１２は基礎本体４０から容易には外れない。防蟻ボード１０が基礎本体４０の表面から浮き上がったり剥がれ落ちたりすることが良好に防止される。
このような基礎構造では、床下空間の地盤Ｅから基礎本体４０に沿って上部構造へと白蟻が侵入しようとしても、基礎本体４０の表面を覆う防蟻ボード１０によって、白蟻の侵入が確実に阻止される。特に、係止凸部１２によって基礎本体４０に強固に係止された防蟻ボード１０は、長期間にわたって、基礎本体４０に対して強力に接合され、基礎本体４０から浮き上がったり剥がれたりすることがない。地震などの振動や衝撃が加わっても、防蟻ボード１０の脱落は生じない。基礎本体４０と防蟻ボード１０との間に隙間が生じ難いので、隙間を通って白蟻が上方に這い上がることもできない。
【００２１】
〔基礎構造の施工〕
図３に示すように、基礎本体４０のうち、地盤Ｅに埋め込まれる下方部４２は、予めコンクリートを打設して構築しておく。下方部４２は、上端の一部を残して地盤Ｅに埋め戻されている。
地盤Ｅの上で下方部４２の両側に、コンクリート打設用の型枠２０を組み立てる。型枠２０の材料や構造、施工作業は、通常の基礎構造の場合と同様である。
但し、片方の型枠２０の内側面には、防蟻ボード１０が取り付けられる。防蟻ボード１０は、ビスなどの金具や針金などで取り外し可能に仮取り付けされる。防蟻ボード１０の係止凸部１２が、内側に露出している。
【００２２】
この状態で、型枠２０に取り付けられた防蟻ボード１０と、対向する型枠２０との間の空間に、コンクリートを流し込む。防蟻ボード１０の係止凸部１２は、コンクリートに埋め込まれる。
コンクリートが硬化後、型枠２０、２０を撤去する。このとき、防蟻ボード１０と型枠２０との仮固定状態を解除して、防蟻ボード１０を残したまま、型枠２０だけを撤去する。
その結果、図２に示す布基礎が構築される。基礎本体４０の内側面には防蟻ボード１０が一体的に接合され、係止凸部１２が基礎本体４０に埋めこまれて係止された状態になる。
【産業上の利用可能性】
【００２３】
本発明の基礎構造は、例えば、白蟻の食害が問題となる一般住宅の基礎構造を構築するのに適用できる。床下空間を断熱構造にする基礎構造に有用である。
【図面の簡単な説明】
【００２４】
【図１】本発明の実施形態を表す防蟻ボードの平面図（ａ）と一部断面側面図（ｂ）
【図２】基礎構造の断面図
【図３】型枠設置状態を示す断面図
【符号の説明】
【００２５】
１０    防蟻ボード
１２    係止凸部
１４    張出部
２０    型枠
４０    布基礎
４２    布基礎下部
５２    床構造
５４    外壁構造
Ｅ      地盤
【図１】
2005133506.tif 000003
【図２】
2005133506.tif 000004
【図３】
2005133506.tif 000005